(57)【要約】【課題】引出口への電線束の固定作業が容易で、且つ電線束の大きさの変化に対して低コストで対応可能な電気接続箱を提供する。【解決手段】電線束５０を外部に引き出す挿通孔３６をケース１２に設ける一方、電線束５０に外挿装着されて、電線束５０を外部へ案内する引出口体５２を、それに設けられた嵌合部５８ａ，５８ｂ，５８ｃにおいて、挿通孔３６に嵌合した。また、そのような引出口体５２を、周方向で複数に分割されて電線束５０の外周面上で互いに組み合わされる分割体６０ａ，６０ｂによって構成した。更に、嵌合部５８ａ，５８ｂ，５８ｃを共通にして備え、且つ引出孔５６の大きさが相互に異なる複数種類の引出口体５２を取り揃えて構成した。【選択図】図２
2011182586.tif 000002
【特許請求の範囲】
【請求項１】
ケース内に電気回路が収容されていると共に、該電気回路に接続された複数本の電線からなる電線束を外部に引き出す挿通孔が前記ケースに形成されている電気接続箱において、
前記電線束に外挿装着されると共に、前記ケースの前記挿通孔に嵌合される嵌合部と、該嵌合部からケース外方に突出して内部に挿通された前記電線束をケース外へ案内する引出孔を備えた筒状の引出口体を採用して、
前記引出口体を、周方向で複数に分割されて前記電線束の外周面上で互いに組み合わされる分割体によって構成すると共に、
前記引出口体を、前記嵌合部を共通にして備えており且つ前記引出孔の大きさを相互に異ならせて複数種類取り揃えて構成したことを特徴とする電気接続箱。
【請求項２】
前記引出口体の前記引出孔が、一対の半円筒形状の前記分割体を組み合わせて構成される円筒形状とされていると共に、前記引出孔の軸方向一方の端部の外周面に前記嵌合部が形成されている請求項１に記載の電気接続箱。
【請求項３】
前記引出孔の各前記分割体の周方向一方の端部には、周方向外方に延び出す薄肉の係止片が形成されている一方、各前記分割体の周方向他方の端部には、その周方向端部において径方向外方に突出する係止部が形成されており、一方の前記分割体の前記係止片が他方の前記分割体の前記係止部に係合される請求項１又２に記載の電気接続箱。
【発明の詳細な説明】
【技術分野】
【０００１】
本発明は、自動車に搭載される電気接続箱に関し、特に、電気接続箱の内部から電線の束を引き出す引出口を備えた電気接続箱に関するものである。
【背景技術】
【０００２】
従来から、自動車に搭載される電気接続箱には、ヒューズやリレー等の電気部品やバスバー等の通電部材から構成される電気回路が収容されており、それら電気部品や通電部材に対して多数の電線が接続されている。これらの電線は、電気接続箱のケースに設けられた挿通孔から外部に引き出されるようになっている。
【０００３】
ところで、電気接続箱における電線引出用の挿通孔には、該挿通孔からの水等の浸入を防止すると共に、引き出される電線を束ねて固定する目的から、円筒状の引出口が外部に突出して一体形成されている場合が多い。例えば、特開２０００−１６６０５８号公報（特許文献１）に記載の如きである。そして、引出口に対して電線を結束バンドで固定したり、或いは、引出口の挿通孔と引き出される電線との間に粘着テープ等を巻回すること等により、電線を伝った電気接続箱内部への水の浸入を阻止することが一般に行われている。
【０００４】
ところが、このような従来構造の電気接続箱では、引出口が一体的に設けられているが故に、電気接続箱の車両内での配設条件によっては、引出口に対して電線をテープ等で固定する作業を行う十分なスペースがなく、作業が困難になる場合があった。
【０００５】
また、電気接続箱に対して一体的に設けられた引出口の大きさ等を、導出される電線束の大きさに応じて変化させる必要があるが、そのために、電気接続箱の金型を変更したり、或いは金型の入れ子を採用して対応することは、金型の複雑化やコスト高を招く。また電気接続箱の種類が多種類となり、製品管理や在庫管理が複雑になるといった問題もあった。
【先行技術文献】
【特許文献】
【０００６】
【特許文献１】特開２０００−１６６０５８号公報
【発明の概要】
【発明が解決しようとする課題】
【０００７】
本発明は、上述の事情を背景に為されたものであって、その解決課題は、電気接続箱の車両内での配設条件に関係なく、電線束の引出口への固定作業を容易に行うことができると共に、電線束の大きさの変化に対して低コストで対応可能な電気接続箱を提供することにある。
【課題を解決するための手段】
【０００８】
本発明の第一の態様は、ケース内に電気回路が収容されていると共に、該電気回路に接続された複数本の電線からなる電線束を外部に引き出す挿通孔が前記ケースに形成されている電気接続箱において、記電線束に外挿装着されると共に、前記ケースの前記挿通孔に嵌合される嵌合部と、該嵌合部からケース外方に突出して内部に挿通された前記電線束をケース外へ案内する引出孔を備えた筒状の引出口体を採用して、前記引出口体を、周方向で複数に分割されて前記電線束の外周面上で互いに組み合わされる分割体によって構成すると共に、前記引出口体を、前記嵌合部を共通にして備えており且つ前記引出孔の大きさを相互に異ならせて複数種類取り揃えて構成したことを特徴とする。
【０００９】
本態様によれば、電線束に外挿装着される引出口体を、電気接続箱のケースとは別個の部材として構成できる。また、嵌合部においてケースの挿通孔に嵌合することにより、引出口体をケースに組み付けることが可能となる。このため、引出口体をケースに組み付ける前に、引出口体を構成する複数の分割体を電線束の外周面上で互いに組み合わせることにより、引出口体を、電線束に対して容易に外挿して、引出孔に電線束を挿通させることができる。しかも、そのような引出孔への電線束の挿通状態下で、引出孔と電線束との間に粘着テープ等を巻回する作業や、引出口体に対して電線束を結束バンドで固定する作業等も、引出口体をケースに組み付ける前に行うことができる。それ故、筒状の引出口体がケースに対して一体的に突設された従来の電気接続箱とは異なって、電気接続箱における引出口体の形成部位の周囲に十分な作業スペースが確保できない場合でも、引出孔への電線束の挿通作業や、引出孔の外部への開口部からの水の浸入を阻止するための作業等を、良好な作業性をもって容易に行うことが出来る。
【００１０】
また、本態様では、ケースの挿通孔への嵌合部を共通にしつつ、引出孔の大きさが互いに異ならせた引出口体を複数種類取り揃えて構成されている。それ故、電線束の大きさ（太さ）が種々異なる場合にあっても、電線束の大きさに応じた大きさ（径）の引出孔を有する引出口体を採用して、それをケースの挿通孔に嵌合するだけで、ケース全体を交換することなく、大きさが種々異なる電線束の引出孔を通じてのケース外部への引出しが可能となる。これによって、引出口体がケースに一体形成された従来の電気接続箱とは異なって、電気接続箱から引き出す電線束の大きさに応じて、引出孔の大きさが違う複数種類のケースを取り揃えておく必要が解消される。従って、電気接続箱から引き出す電線束の大きさが異なっても、それに対して、ケースを成形するための金型を変更したり、各種の入れ子型を採用して対応する必要もない。そして、その結果としてケースの成形用の金型構造の簡素化と金型製作費の削減、ひいては電気接続箱の製造コストの低減とが、効果的に実現され得る。また、引出口体（引出孔）の大きさが互いに異なる多種類の電気接続箱の製品管理や在庫管理を行う面倒な作業からも、有利に解放され得ることとなる。
【００１１】
本発明の第二の態様は、前記第一の態様に記載のものにおいて、前記引出口体の前記引出孔が、一対の半円筒形状の分割体を組み合わせて構成される円筒形状とされていると共に、該引出孔の軸方向一方の端部の外周面に前記嵌合部が形成されているものである。
【００１２】
本態様によれば、同一形状の半割体を相互い組み合わせることで、引出口体を形成することができる。これによって、引出口体、ひいては電気接続箱の構造の簡略化が有利に図られ得る。また、構造が簡略化された分だけ、引出口体を成形する金型構造の簡素化も図られ得る。更に、互いに異なる形状の分割体を組み合わせて引出口体を形成する場合とは異なって、分割体の組付けに際して、組付方向が特定されることがなく、それにより組付作業が容易となる。また、引出口体の在庫管理も容易となる。その上、電線束に嵌合した際に、電線束の弾性により加わる外力が両方の分割体に均等に分散されて、安定した保持が可能となる。
【００１３】
本発明の第三の態様は、前記第一又は第二の態様に記載のものにおいて、前記引出孔の各前記分割体の周方向一方の端部には、周方向外方に延び出す薄肉の係止片が形成されている一方、各前記分割体の周方向他方の端部には、その周方向端部において径方向外方に突出する係止部が形成されており、一方の前記分割体の前記係止片が他方の前記分割体の前記係止部に係合されるものである。
【００１４】
本態様によれば、二つの分割体を電線束を挟んだ両側から嵌め合わせると同時に、一方の分割体の係止片が他方の分割体の係止部に係合して、二つの分割体の嵌合状態がロックされるようになる。これによって、二つの分割体の組付作業、ひいては引出口体の電線束に対する装着作業における作業性の向上が、有利に図られ得る。
【発明の効果】
【００１５】
本発明によれば、電気接続箱の車両内での配設条件に関係なく、電線束の引出口への固定作業を容易に行うことができると共に、電線束の大きさの変化に対して低コストに対応可能となる。
【図面の簡単な説明】
【００１６】
【図１】本発明に従う構造を有する電気接続箱の一実施形態を示す斜視図。
【図２】図１のＩＩ−ＩＩ断面における部分拡大断面図。
【図３】図１に示された電気接続箱に装着される引出口体を示す正面図。
【図４】図３におけるＩＶ矢視図。
【図５】図２に示された引出口体を二つの分割体に分割した状態を示す図。
【図６】図５におけるＶＩ矢視図。
【図７】図５におけるＶＩＩ矢視図。
【図８】図３に示された引出口体とは引出孔の大きさが異なる引出口体が装着された電気接続箱の、図２に対応する要部拡大断面図。
【発明を実施するための形態】
【００１７】
以下、本発明の実施形態について、図面を参照しつつ説明する。
【００１８】
先ず、図１には、本発明に従う構造を有する電気接続箱の一実施形態が、その斜視形態において示されている。図１から明らかなように、本実施形態の電気接続箱１０は、合成樹脂製の筐体からなるケース１２を備えており、該ケース１２内に図示しない電気回路を収容した構成とされている。なお、以下の説明において、原則として、電気接続箱１０の上下方向とは図１における上下方向をいうものとする。
【００１９】
より具体的には、ケース１２は、全体として矩形ブロック形状を呈するケース本体１４と、ケース本体１４の上下側開口部を覆蓋するアッパカバー１６およびロアカバー１８とを含んで構成されている。ケース本体１４は筒壁部２０を有している。そして、図示されてはいないものの、その筒壁部２０の内側には、ヒューズやリレー等の電気部品やバスバー等の通電部材から構成される電気回路が収容されている。
【００２０】
ロアカバー１８は、上方に向かって開口する筐体からなり、底壁部２２と、底壁部２２の外周縁部に沿って延びる側壁部２４とを一体的に有している。このロアカバー１８における側壁部２４の上方への開口形状が、ケース本体１４の筒壁部２０の下方への開口形状に対応した形状とされている。
【００２１】
ケース本体１４の筒壁部２０の外周面の下端部には、周上の複数箇所に、係合爪２６が、それぞれ一体形成されている。また、その上端部の周上の複数箇所には、係合部２７が、それぞれ一体形成されている。ロアカバー１８の側壁部２４の上端部（開口側端部）の外周面には、その周上の複数箇所に、ケース本体１４の係合爪２６が係合可能な係合部２８が、側壁部２４の上端面よりも上方に突出するように、一体形成されている。
【００２２】
そして、ロアカバー１８が、ケース本体１４の筒壁部２０の下端部に対して、かかる筒壁部２０の下方への開口部を覆蓋するように組み付けられている。また、そのような組付状態下で、ケース本体１４の筒壁部２０の下端部に設けられた複数の係合爪２６が、ロアカバー１８の側壁部２４に一体形成された複数の係合部２８にそれぞれ係合されている。これによって、ロアカバー１８が、ケース本体１４に固定されており、ケース本体１４の筒壁部２０とロアカバー１８の側壁部２４を含んでケース１２の周壁部２９が構成されている。
【００２３】
一方、アッパカバー１６は、下方に向かって開口する筐体からなり、天板部３０と、かかる天板部３０の外周縁部に沿って延びる側壁部３２とを一体的に有している。このアッパカバー１６の側壁部３２の下方への開口形状が、ケース本体１４の筒壁部２０の上方への開口形状に対応した形状とされている。アッパカバー１６の側壁部３２の下端部（開口側端部）の外周面には、その周上の複数箇所に、ケース本体１４の係合部２７に係合する係合爪３４が一体形成されている。
【００２４】
そして、アッパカバー１６が、ケース本体１４の筒壁部２０の上端部に対して、周壁部２９の上方への開口部を覆蓋するように組み付けられている。また、そのような組付状態下で、アッパカバー１６の側壁部３２に一体形成された複数の係合爪３４が、ケース本体１４の筒壁部２０の上端部に設けられた複数の係合部２７にそれぞれ係合されている。これによって、アッパカバー１６が、ケース本体１４に対して固定されている。
【００２５】
このようにして、ケース１２内に電気回路を収容してなる電気接続箱１０が、構成されている。そして、本実施形態の電気接続箱１０においては、ケース本体１４の筒壁部２０とロアカバー１８の側壁部２４を含んで構成されるケース１２の周壁部２９において、周上の一箇所に、筒状突起３７が、ケース１２の外部に開口するようにして、突設されている。また、図２に示されるように、この筒状突起３７は、周壁部２９を貫通して設けられた挿通孔３６の周囲から延出するように設けられている。
【００２６】
より詳しくは、ケース本体１４の筒壁部２０における周上の一箇所には、下端縁部に開口する第一切欠部３８が形成されている。また、ロアカバー１８の側壁部２４において、ケース本体１４の筒壁部２０における第一切欠部３８の形成部位に対応する周上の一箇所には、上端縁部に開口する第二切欠部４０が形成されている。それら第一切欠部３８と第二切欠部４０は、何れも、半円に満たない円弧の周方向両端部から直線部分が平行に延びてなる略アーチ形を有しており、同一形状且つ同一の大きさで形成されている。そして、ケース本体１４の筒壁部２０とロアカバー１８の側壁部２４とが互いに組み付けられることにより、第一切欠部３８と第二切欠部４０とが相互に組み合わされている。これにより、ケース１２の周上の一箇所に、第一切欠部３８と第二切欠部４０とが互いに組み合わされてなる略円形の挿通孔３６が形成されているのである。
【００２７】
また、ケース本体１４の筒壁部２０の外周面には、第一切欠部３８の開口周縁部に沿って延びる半割筒状突起４２が、一体形成されている。そして、この半割筒状突起４２の先端部と、その先端部から基端部側に所定寸法だけ偏倚した内周面部分には、径方向内方に所定高さで突出し且つ周方向に連続して延びる嵌合用内側リブ４４ａ，４４ｂが、それぞれ一体形成されている。この嵌合用内側リブ４４ａ，４４ｂは、先端面形状が略円弧形状とされた薄肉の平板からなっている。
【００２８】
一方、ロアカバー１８の側壁部２４の外周面にも、第二切欠部４０と同一形状を有して、第二切欠部４０の開口周縁部に沿って延びる半割筒状突起４６が、一体形成されている。そして、この半割筒状突起４６の先端部と、その先端部から基端部側に所定寸法だけ偏倚した内周面部分にも、嵌合用内側リブ４８ａ，４８ｂが、それぞれ一体形成されている。これら嵌合用内側リブ４８ａ，４８ｂも、先端面形状が略円弧形状とされた薄肉の平板からなっている。
【００２９】
そして、ケース本体１４とロアカバー１８とが一体的に組み付けられることによって、ケース本体１４の筒壁部２０とロアカバー１８の側壁部２４とにそれぞれ設けられた半割筒状突起４２，４６が互いに組み合わされるようになっている。これにより、ケース１２の周壁部２９に対して、それら半割筒状突起４２，４６が組み合わされてなる略円筒状の筒状突起３７が、挿通孔３６の周囲に延びるように、一体形成されている。
【００３０】
また、そのような筒状突起３７の内周面の先端部に対して、ケース本体１４とロアカバー１８の各半割筒状突起４２，４６に設けられた嵌合用内側リブ４４ａ，４８ａとが組み合わされてなる略円環板状の第一の嵌合用内側環状リブ４９ａが、一体形成されている。更に、筒状突起３７の先端部から基部側に所定寸法偏倚した内周面部分に対して、ケース本体１４とロアカバー１８の各半割筒状突起４２，４６に設けられた嵌合用内側リブ４４ｂ，４８ｂとが組み合わされてなる略円環板状の第二の嵌合用内側環状リブ４９ｂが、一体形成されている。
【００３１】
そして、図２に示されるように、上記の如き構造とされた本実施形態の電気接続箱１０においては、図示しない電気回路に接続された複数本の電線からなる電線束５０（図２に二点鎖線で示す）が、ケース１２の周壁部２９に形成された挿通孔３６を通じて、外部に引き出されるようになっている。また、挿通孔３６から引き出される電線束５０には、引出口体５２が外挿装着されており、この引出口体５２が、挿通孔３６に対して、取り外し可能に取り付けられている。
【００３２】
図２〜図４に示されるように、引出口体５２は、一定の径を有して軸方向に延びる円筒部５４を備えた合成樹脂成形体にて構成されている。この円筒部５４は、その内孔が、電気接続箱１０から引き出される電線束５０を外部に案内する引出孔５６とされている。また、円筒部５４の軸方向一端部の外周面には、嵌合部としての第一、第二、及び第三の嵌合用外側リブ５８ａ，５８ｂ，５８ｃが、径方向外方に所定高さで突出し且つ周方向に連続して延びるように、それぞれ一体形成されている。
【００３３】
それら第一〜第三の嵌合用外側リブ５８ａ，５８ｂ，５８ｃは、円筒部５４の軸方向一端部の外周面上において、軸方向に一定の距離を隔てて、互いに対向配置されている。第一〜第三の嵌合用外側リブ５８ａ，５８ｂ，５８ｃのうち、円筒部５４の軸方向一端側の先端に位置する第一の嵌合用外側リブ５８ａと、それよりも軸方向他端側において、第一の嵌合用外側リブ５８ａに隣り合って対向位置する第二の嵌合用外側リブ５８ｂは、ケース１２の周壁部２９に設けられた挿通孔３６と相似で且つそれよりも一回り小さな形状を有している。一方、第二の嵌合用外側リブ５８ｂよりも更に軸方向他端側において、第二の嵌合用外側リブ５８ｂに隣り合って対向位置する第三の嵌合用外側リブ５８ｃは、円環板形状を呈し、円筒部５４の外周面からの突出高さが、第一及び第二の嵌合用外側リブ５８ａ，５８ｂのそれよりも所定寸法だけ低くされている。また、それら第一〜第三の嵌合用外側リブ５８ａ，５８ｂ，５８ｃにおいては、互いに隣り合うもの同士の間の距離（対向面間距離）が、ケース１２の周壁部２９に設けられた第一及び第二の嵌合用内側環状リブ４９ａ，４９ｂの厚さよりも僅かに大きな寸法とされている。
【００３４】
そして、図３〜図５に示されるように、ここでは、引出口体５２が、径方向両側に位置する周上の二箇所において軸方向に延びる分割面にて分割されてなる一対の分割体６０ａ，６０ｂにて構成されている。
【００３５】
すなわち、図５〜図７に示されるように、一対の分割体６０ａ，６０ｂは、同じ大きさで且つ同一の半割円筒形状を呈する半割筒部６２ａ，６２ｂをそれぞれ有している。また、それら各半割筒部６２ａ，６２ｂの軸方向一端部の外周面には、第一、第二及び第三の板状突起６４ａ，６４ｂ，６４ｃが、それぞれ一体形成されている。それら第一〜第三の板状突起６４ａ，６４ｂ，６４ｃは、何れも、引出口体５２の第一〜第三の嵌合用外側リブ５８ａ，５８ｂ，５８ｃをそれぞれ径方向に半割した形状を有している。そして、第一〜第三の板状突起６４ａ，６４ｂ，６４ｃは、半割筒部６２ａ，６２ｂの軸方向一端部の外周面上において、軸方向に一定の距離を隔てて、互いに対向配置されている。
【００３６】
また、各分割体６０ａ，６０ｂの半割筒部６２ａ，６２ｂの外周面における軸方向中間部の周方向一端部には、係止部６６が一体形成されており、その周方向他端部には、係止片６８が一体形成されている。
【００３７】
係止部６６は、半割筒部６２ａ，６２ｂの外周面から径方向外方に突出する山形の凸部からなっている。この係止部６６は、半割筒部６２ａ，６２ｂの周方向一端部の端縁から径方向外方に傾斜すると共に半割筒部６２ａ，６２ｂの周方向に延びる摺動面７０とされている。また、係止部６６においては、半割筒部６２ａ，６２ｂの軸方向における摺動面７０の両サイドと、半割筒部６２ａ，６２ｂの周方向における摺動面７０の一端側（図３中下方側）とに位置する側面が、それぞれ、半割筒部６２ａ，６２ｂの径方向に広がる係止面７２，７２，７２とされている。
【００３８】
一方、係止片６８は、コ字形状をもって、半割筒部６２ａ，６２ｂの周方向端部から周方向外方に延び出すようにして、半割筒部６２ａ，６２ｂに一体形成されている。即ち、係止片６８は、半割筒部６２ａ，６２ｂの周方向端部の外周面上における軸方向に所定距離を隔てた位置から、周方向外方に平行に延び出す一対の可撓片部７４，７４と、それら一対の可撓片部７４，７４の先端部位同士を連結する連結部７６とを有している。それら一対の可撓片部７４，７４と連結部７６は、何れも薄肉の板状を呈している。更に、係止片６８は、一対の可撓片部７４，７４と連結部７６とにて囲まれた通孔７８を有している。
【００３９】
また、各分割体６０ａ，６０ｂにおいては、半割筒部６２ａ，６２ｂの外周面の軸方向他端部（第一〜第三の板状突起６４ａ，６４ｂ，６４ｃの形成側とは反対側の端部）における周方向の一端部（係止部６６の形成側の端部）に、係合突起８０が一体形成されている。この係合突起８０は、半割筒部６２ａ，６２ｂの外周面の周方向一端部から周方向外方に所定高さで真っ直ぐに突出し、その突出部分の内側面が、係合面８２とされている（図４参照）。
【００４０】
図３及び図４に示されるように、一対の分割体６０ａ，６０ｂが、それぞれの半割筒部６２ａ，６２ｂの周方向の端面同士を重ね合わせた状態で、互いに組み合わされることによって、内孔が引出孔５６とされた円筒部５４が形成されるようになっている。また、各半割筒部６２ａ，６２ｂの第一の板状突起６４ａ，６４ａ同士と、第二の板状突起６４ｂ，６４ｂ同士と、第三の板状突起６４ｃ，６４ｃ同士が組み合わされて、円筒部５４に対して、第一〜第三の嵌合用外側リブ５８ａ，５８ｂ，５８ｃが形成されるようになっている。
【００４１】
そして、一対の分割体６０ａ，６０ｂが互いに組み合わされた際には、一方の分割体６０ａ（６０ｂ）の半割筒部６２ａ（６２ｂ）に設けられた係止部６６が、他方の分割体６０ｂ（６０ａ）の半割筒部６２ｂ（６２ａ）に設けられた係止片６８の通孔７８に挿入される。そのとき、係止片６８の連結部７６が、係止部６６の摺動面７０上を摺動しつつ、一対の可撓片部７４，７４が撓み変形して、連結部７６が摺動面７０を乗り越えるようになる。そして、連結部７６が摺動面７０を乗り越えると、一対の可撓片部７４，７４が撓み変形から復元されて、係止部６６の三つの係止面７２，７２，７２が、係止片６８の通孔７８の内周面を形成する連結部７６と一対の可撓片部７４，７４のそれぞれの内側面に係合する。これによって、互いに組み合わされた一対の分割体６０ａ，６０ｂが、軸方向と、互いに重ね合わされた半割筒部６２ａ，６２ｂの周方向端面同士を相互に離間させる方向となる軸直角方向とに変位することが、それぞれ阻止されるようになる。
【００４２】
また、一対の分割体６０ａ，６０ｂが組み合わされたときには、一方の分割体６０ａ（６０ｂ）の半割筒部６２ａ（６２ｂ）に設けられた係合突起８０の係合面８２が、他方の分割体６０ｂ（６０ａ）の半割筒部６２ｂ（６２ａ）の外周面のうち、係合突起８０の形成側とは周方向の反対側に位置する外周面部分に係合する。これによって、互いに組み合わされた一対の分割体６０ａ，６０ｂが、互いに重ね合わされた半割筒部６２ａ，６２ｂの周方向端面を径方向にずらす方向となる軸直角方向に変位することが阻止されるようになっている。
【００４３】
このように、一対の分割体６０ａ，６０ｂを、周方向の端面同士において互いに重ね合わせるだけのワンタッチの操作を行うことにより、それら一対の分割体６０ａ，６０ｂが一体的に組み付けられて、その組付状態がロックされるようになっている。そして、これにより、引出口体５２が、一対の分割体６０ａ，６０ｂの一体組付品として構成されるようになっているのである。
【００４４】
そして、図１及び図２に示されるように、引出口体５２は、円筒部５４の軸方向一端部（第一〜第三の嵌合用外側リブ５８ａ，５８ｂ，５８ｃの形成側端部）を、電気接続箱１０のケース１２の周壁部２９に設けられた筒状突起３７内に挿入させた状態で、配置されている。また、そのような配置状態下で、筒状突起３７の第一の嵌合用内側環状リブ４９ａが、円筒部５４に設けられた第二の嵌合用外側リブ５８ｂと第三の嵌合用外側リブ５８ｃとの対向面間に嵌合するように挿入されている。また、筒状突起３７の第二の嵌合用内側環状リブ４９ｂが、円筒部５４における第一の嵌合用外側リブ５８ａと第二の嵌合用外側リブ５８ｂとの対向面間に嵌合するように、挿入されている。
【００４５】
これによって、引出口体５２が、引出孔５６をケース１２の挿通孔３６に連通させ、且つ円筒部５４の軸方向他端側部分を、筒状突起３７から外方に突出させた状態で、挿通孔３６（周壁部２９）に対して、嵌合固定されている。また、ケース本体１４とロアカバー１８との組付を外して、ケース１２を分解することで、引出口体５２が、挿通孔３６から容易に取り外され得るようになっている。
【００４６】
そして、図８に示されるように、本実施形態の電気接続箱１０においては、引出口体５２の引出孔５６よりも内径の小さな引出孔８４を有する円筒部８６を備えた引出口体８８が、引出口体５２とは別個に取り揃えられている。この引出口体５２とは別の種類の引出口体８８にも、第一〜第三の嵌合用外側リブ５８ａ，５８ｂ，５８ｃと係止部６６と係止片６８と係合突起８０とが、引出口体５２に設けられるものと同一の構造をもって形成されている。即ち、２種類の引出口体５２，８８は、引出孔５６，８４の内径が互いに異なる以外は同様な構造とされているのである。このような構造とされた引出口体８８も、前記引出口体５２と同様にして、ケース１２の挿通孔３６に対して、取り外し可能に嵌合固定され得るようになっている。なお、内径が小さくされることにより肉厚となった引出孔５６には適宜肉抜部を設けて樹脂材料の削減を図ることもできる。また、必要に応じて、嵌合部を共通にして引出孔の内径のみが異なる３種類以上の引出口体を取り揃えることも可能である。
【００４７】
ところで、かくの如き構造とされた電気接続箱１０を組み立てる際には、例えば、先ず、図５に示されるように、２種類の引出口体５２，８８のうちから、電線束５０の大きさ（太さ）よりも大きくて、且つそれに最も近似する内径の引出孔５６，８４を有するものを選択する（ここでは引出口体５２が選択されている）。そして、この選択された引出口体５２を、一旦、一対の分割体６０ａ，６０ｂに分割する。その後、それら一対の分割体６０ａ，６０ｂを、ケース本体１４に収容された電気回路（図示せず）から延び出す電線束５０の外周面上で互いに組み合わせて、各分割体６０ａ，６０ｂの係止部６６と係止片６８とを係合させると共に、一方の分割体６０ａ（６０ｂ）の係合突起８０を他方の分割体６０ｂ（６０ａ）に係合させる。これにより、筒状の引出口体５２を形成すると共に、かかる引出孔５６内に電線束５０を挿通させるようにして、引出口体５２を電線束５０に外挿装着する。
【００４８】
そして、引出孔５６の開口部における電線束５０との隙間からの水を浸入を防ぐ粘着テープの巻回等の作業が必要な場合は、上記の引出口体５２の電線束５０に対する外挿装着操作の後に、その作業を実施する。
【００４９】
次いで、図２に示されるように、引出口体５２をケース１２の挿通孔３６に嵌合固定する。この操作は、例えば、電線束５０に外挿装着された引出口体５２を、ケース本体１４の第一切欠部３８とロアカバー１８の第二切欠部４０との間に挟んで位置させた状態で、それらケース本体１４とロアカバー１８とを一体的に組み付けることによって実施される。このとき、ケース本体１４の嵌合用内側リブ４４ａ，４４ｂとロアカバー１８の嵌合用内側リブ４８ａ，４８ｂとが、引出口体５２の円筒部５４に設けられる第一の嵌合用外側リブ５８ａと第二の嵌合用外側リブ５８ｂとの間や第二の嵌合用外側リブ５８ｂと第三の嵌合用外側リブ５８ｃとの間に挿入されて、嵌合させられることとなる。
【００５０】
そして、そのようなケース１２に対する引出口体５２の固定操作の後、或いはかかる固定操作の前に、アッパカバー１６をケース本体１４に対して一体的に組み付ける。このようにして、図１に示される如き構造を有する電気接続箱１０を組み立てて、完成するのである。
【００５１】
このように、本実施形態の電気接続箱１０では、その設置場所とは別個の場所で、引出口体５２を電線束５０に外挿装着した後に、ケース１２に組み付けることができる。そして、引出孔５６の開口部における電線束５０との隙間からの水を浸入を防ぐ作業、例えば、引出孔５６の開口部と電線束５０との間の隙間を埋めるように、円筒部５４の先端部位と電線束５０とを粘着テープ等で巻回する作業等も、引出口体５２をケース１２に組み付ける前に、電気接続箱１０の設置場所とは異なる場所で行うことができる。それ故、たとえ電気接続箱１０における引出口体５２の形成部位周辺のスペースが狭小であっても、引出口体５２の電線束５０に対する外挿装着作業やケース１２内への浸水防止作業が、極めて容易に且つスムーズに実施することが可能となる。
【００５２】
また、かかる電気接続箱１０においては、引出孔５６の内径が異なる引出口体５２，８８が２種類取り揃えられており、電線束５０の大きさに応じて、適宜に選択されて、使用され得るようになっている。そのため、挿通孔３６を通じて引き出される電線束５０の大きさが変化しても、単に、引出口体５２，８８だけを交換することによって、それに対応可能となる。これにより、電線束５０の大きさに応じて、別個のケース１２を準備する必要が、有利に解消され得る。
【００５３】
それ故、ケース１２から引き出す電線束５０の大きさが異なっても、ケース１２を成形するための金型を変更したり、金型の入れ子を採用して対応する必要もない。そして、その結果として、ケース１２、ひいては電気接続箱１０の成形に用いられる金型構造の簡素化と金型製作費の低減とが、効果的に実現され得る。また、引出孔５６の大きさが互いに異なる多種類の電気接続箱１０の製品管理や在庫管理を行う面倒な作業からも、有利に解放され得ることとなる。
【００５４】
従って、かくの如き本実施形態の電気接続箱１０を用いれば、電気接続箱１０の設置スペース等の設置条件に拘わらず、電線束５０の挿通孔３６への挿通固定のための作業が容易に且つスムーズに行われ得ると共に、電線束５０の大きさの変化に対応するためのコスト負担が、極めて有利に削減され得るのである。
【００５５】
また、かかる電気接続箱１０においては、取り揃えられる複数種類の引出口体５２，８８が、何れも、半割円筒状の同一形状を呈する一対の分割体６０ａ，６０ｂを互いに組み合わせて構成されている。それ故、互いに異なる形状の分割体が組み合わされて、引出口体が構成される場合とは異なって、一対の分割体６０ａ，６０ｂの組付けに際して、組付方向が特定されることがなく、それにより組付作業が容易となる。また、引出口体５２，８８の在庫管理も容易となる。その上、電線束５０に外挿して、嵌合させた場合にあっても、電線束５０の弾性により加わる外力が両方の分割体６０ａ，６０ｂに均等に分散されて、電線束５０の安定した保持が可能となる。更に、分割体６０ａ，６０ｂを成形するための金型構造も簡略化され得る。
【００５６】
さらに、本実施形態の電気接続箱１０にあっては、各分割体６０ａ，６０ｂに係止部６６や係止片６８、係合突起８０が一体形成されている。そして、それらの係合により、一対の分割体６０ａ，６０ｂがワンタッチの操作で一体的に組み付けられ、その組付状態がロックされて、引出口体５２，８８が形成されるようになっている。それ故、一対の分割体６０ａ，６０ｂの組付作業、ひいては引出口体５２，８８の電線束５０に対する装着作業における作業性が、有利に高められ得るのである。
【００５７】
以上、本発明の実施形態について詳述したが、本発明はその具体的な記載によって限定されない。例えば、引出口体５２，８８は、周方向で３個以上に分割された分割体にて構成しても良い。なお、それら各分割体の大きさは、互いに異なっていても、何等差し支えない。
【００５８】
また、引出口体５２，８８には、第一〜第三の嵌合用外側リブ５８ａ，５８ｂ，５８ｃ以外の構造により、嵌合部を構成することができる。更に、かかる嵌合部の引出口体５２，８８に対する形成位置も、何等限定されるものではない。
【符号の説明】
【００５９】
１０：電気接続箱、１２：ケース、３６：挿通孔、５０：電線束、５２，８８：引出口体、５６，８４：引出孔、５８ａ：第一の嵌合用外側リブ（嵌合部）、５８ｂ：第二の嵌合用外側リブ（嵌合部）、５８ｃ：第三の嵌合用外側リブ（嵌合部）、６０ａ，６０ｂ：分割体、６６：係止部、６８：係止片
【図１】
2011182586.tif 000003
【図２】
2011182586.tif 000004
【図３】
2011182586.tif 000005
【図４】
2011182586.tif 000006
【図５】
2011182586.tif 000007
【図６】
2011182586.tif 000008
【図７】
2011182586.tif 000009
【図８】
2011182586.tif 000010